(57)【特許請求の範囲】
【請求項１】
被検査対象物に存在する亀裂想定箇所に対して接着剤によって固定される検知線と、
前記検知線に通電する電源と、
予め設定されている識別情報を記憶部に記憶し、送受信部を介して行う前記識別情報の無線送信を制御部によって制御するＩＣタグとを有し、
前記ＩＣタグは、前記制御部が前記検知線の通電遮断状態によって得られる断線情報を記憶部に記憶し、前記断線情報と識別情報とを無線送信するようにしたものであり、
前記制御部は、断線を検知した所定時間後に通電を確認して断線と電気的ノイズとの判別を行い、更に、前記検知線の通電遮断を検出した後に通電を所定回数確認することにより、前記断線情報を前記記憶部に記憶するようにしたものであることを特徴とする疲労亀裂検出装置。
【請求項２】
請求項１に記載する疲労亀裂検出装置において、
前記電源は、前記被検査対象物を移動体が通過する際に衝撃を受ける箇所に配置された圧電素子と、衝撃を受けた前記圧電素子から発生した電力を充電する充電器とを有するものであることを特徴とする疲労亀裂検出装置。
【請求項３】
請求項１又は請求項２に記載する疲労亀裂検出装置において、
前記検知線の断線時に前記制御部によって発光で断線情報を示す表示部を有するものであることを特徴とする疲労亀裂検出装置。
【請求項４】
被検査対象物に存在する複数の亀裂想定箇所に対し、それぞれの亀裂想定箇所ごとに前記請求項１乃至請求項３のいずれかに記載する前記疲労亀裂検出装置が設置され、
前記識別情報を入力することにより、複数存在する前記疲労亀裂検出装置の一と無線送信を可能とし、その疲労亀裂検出装置から受信した前記断線情報を記憶部に記憶するようにした可搬式情報収集装置を有するものであることを特徴とする疲労亀裂検出システム。
【請求項５】
請求項４に記載する疲労亀裂検出システムにおいて、
前記可搬式情報収集装置と接続して前記断線情報を記憶部に格納し、その断線情報に基づいて管理表を作成する演算処理装置を有するものであることを特徴とする疲労亀裂検出システム。
【発明の詳細な説明】
【技術分野】
【０００１】
本発明は、橋梁などの構造物について行う目視点検の精度を向上させる疲労亀裂検出装置および疲労亀裂検出システムに関する。
【背景技術】
【０００２】
橋梁などの構造物は、長期に渡り繰り返し振動を受け金属疲労による亀裂が発生することがあるため、安全管理の観点から早期発見と対策が必要である。しかし、目視による検査では細かい亀裂の見逃しが生じてしまうため、下記特許文献１には亀裂の発生とその場所を早期に発見する疲労亀裂検出システムが提案されている。
【０００３】
図７は、従来の疲労亀裂検出システムが適用された橋の全体図である。疲労亀裂検出システム１００は、被検出物である橋梁１０１の亀裂を検出するためのシステムであって、橋梁２００の表面に沿って並べられた２本の亀裂センサとしての破断検知線（以下、単に「検知線」という）１１０と、亀裂場所特定装置１２０とを備えている。検知線１１０は、並行に並べられた２本が橋梁２００の亀裂想定箇所を通って一筆書状に配線され、橋梁２００の表面に接着される。
【０００４】
例えば、鉄道車両３００が橋梁２００を何度も通過することで亀裂が発生すると、その亀裂部分に接着されている検知線１１０も断線する。そこで、疲労亀裂検査では、検知線１１０に接続された亀裂場所特定装置１２０からマイクロパルスが間欠的に発信される。検知線１１０が断線している箇所ではマイクロパルスが反射するため、再び検知線１１０を伝わるマイクロパルスを受信し、測定対象物までの往復時間を計測することで、発信点から断線位置までの距離を計測して亀裂発生箇所が特定される。
【特許文献１】特開２００５−１５６５５２号公報
【発明の開示】
【発明が解決しようとする課題】
【０００５】
ところで、橋梁など構造物に対する検査は、前述した疲労亀裂が特に重要ではあるが、検査項目はそれだけではなく、ペンキの剥がれ、床板や橋台のクラックなどについても確認する必要がある。こうした検査項目は、前記特許文献１で示すようなシステムが構築されていないため、目視による検査が行われている。従って、疲労亀裂検出システムが設置されることの効果は大きいものの、橋梁など構造物について定期的に行う目視点検を無くすことはできなかった。
【０００６】
一方で、疲労亀裂検出システムを使用せず、点検作業者が目視によって疲労亀裂を確認するとしたならば、作業者の熟練度や人手不足などの人的要因によって点検ミスが起こりやすくなることが考えられる。また、疲労亀裂の発生箇所が、容易に目視点検できるような箇所にないような場合もある。そして、見逃しによって疲労亀裂の発見が遅れると、復旧のための工事を早急に行わなければならず、通行止めが必要になって交通への影響が大きい。
更に、社会資本の老朽化に伴い、安全確認の観点から、橋梁のような構造物の維持管理の重要性が高まっている。こうした中で、少子高齢化により、点検に従事する作業者の高齢化や減少がますます進むものと思われる。また、点検精度の向上とともに、点検作業を効率化し、維持管理費の低減が求められている。
【０００７】
そこで、本発明は、かかる課題を解決すべく、目視点検のなかで行う疲労亀裂の点検について点検品質を上げる疲労亀裂検出装置および疲労亀裂検出システムを提供することを目的とする。
【課題を解決するための手段】
【０００８】
本発明に係る疲労亀裂検出装置は、被検査対象物に存在する亀裂想定箇所に対して接着剤によって固定される検知線と、前記検知線に通電する電源と、予め設定されている識別情報を記憶部に記憶し、送受信部を介して行う前記識別情報の無線送信を制御部によって制御するＩＣタグとを有し、前記ＩＣタグは、前記制御部が前記検知線の通電遮断状態によって得られる断線情報を記憶部に記憶し、前記断線情報と識別情報とを無線送信するようにしたものであり、前記制御部は、断線を検知した所定時間後に通電を確認して断線と電気的ノイズとの判別を行い、更に、前記検知線の通電遮断を検出した後に通電を所定回数確認することにより、前記断線情報を前記記憶部に記憶するようにしたものであることを特徴とする。
【０００９】
また、本発明に係る疲労亀裂検出装置は、前記電源が、前記被検査対象物を移動体が通過する際に衝撃を受ける箇所に配置された圧電素子と、衝撃を受けた前記圧電素子から発生した電力を充電する充電器とを有するものであることが好ましい。
また、本発明に係る疲労亀裂検出装置は、前記検知線の断線時に前記制御部によって発光で断線情報を示す表示部を有するものであることが好ましい。
【００１０】
本発明に係る疲労亀裂検出システムは、被検査対象物に存在する複数の亀裂想定箇所に対し、それぞれの亀裂想定箇所ごとに前記疲労亀裂検出装置が設置され、前記識別情報を入力することにより、複数存在する前記疲労亀裂検出装置の一と無線送信を可能とし、その疲労亀裂検出装置から受信した前記断線情報を記憶部に記憶するようにした可搬式情報収集装置を有するものであることを特徴とする。
また、本発明に係る疲労亀裂検出システムは、前記可搬式情報収集装置と接続して前記断線情報を記憶部に格納し、その断線情報に基づいて管理表を作成する演算処理装置を有するものであることが好ましい。
【発明の効果】
【００１１】
本発明によれば、ＩＣタグにより、検知線の通電遮断によって得られる断線情報を記憶部に記憶し、ＰＤＡなどの情報収集装置により断線情報を識別情報とともに無線送信することができるので、手間をかけることなく疲労亀裂に関する断線情報を収集することができ、この情報収集作業を従来から行われている目視点検作業の一部に組み込むことが可能である。そのため、目視による疲労亀裂の見落としを無くし、点検品質を上げることができる。また、点検の向上とともに点検作業を効率化し、維持管理費の低減が可能となる。
【発明を実施するための最良の形態】
【００１２】
次に、本発明に係る疲労亀裂検出装置および疲労亀裂検出システムの一実施形態について図面を参照しながら以下に説明する。図１は、本実施形態の疲労亀裂検出システムについて概念的に示した図である。特に、橋梁１について複数の疲労亀裂検出装置１０（１０ａ〜１０ｄ）を設置した状態を示している。本実施形態の疲労亀裂検出システムでは、従来例のように検知線を橋梁側面に長い距離に渡って張り巡らせるようにしたものではなく、橋梁１の複数の亀裂想定箇所にそれぞれ独立した疲労亀裂検出装置１０ａ〜１０ｄを設置するようにして構成したものである。橋梁１などの構造物では、亀裂が発生する箇所が想定できるため、その亀裂想定箇所に疲労亀裂検出装置１０ａ〜１０ｄが取り付けられる。
【００１３】
次に、図２は、疲労亀裂検出装置１０の具体的な設置状態を示した図である。橋梁１は、幅方向に複数並べられた主桁２が長手方向に配置され、隣り合う主桁２同士が横桁３によって連結されている。図２は、そうした主桁２のウェブ（腹板）２０１に対して横桁３が直交方向から突き当てられるようにして接続された箇所を示している。主桁２は、ウェブ２０１と、上下のフランジ２０２とによって形成され、横桁３も同様に中板３０１の上下にフランジ３０２が形成されている。そして、その横桁３の端部が図示するように、主桁２のウェブ２０１に突き当てられ、その突き当て部が溶接接続されている。
【００１４】
こうした構造の橋梁１では、その上を車両が通過することによって繰り返し荷重が加わり、亀裂が生じる可能性があるのがこの接続箇所である。すなわち、主桁１のウェブ２０１は、横桁３の下フランジ３０２先端部分に応力が集中しやすく、亀裂が生じる可能性がある。そこで、下フランジ３０２の先端部分から発生する亀裂を確認できるように、疲労亀裂検出装置１０が取り付けられている。なお、主桁１のウェブ２０１に対する横桁３の接続箇所は、橋梁１において複数箇所存在するため、それぞれの箇所において図２に示すような疲労亀裂検出装置１０の設置が行われる。
【００１５】
疲労亀裂検出装置１０は、亀裂センサとしての破断検知線（以下、単に「検知線」という）１１が、横桁３の下フランジ３０２に沿うようにして配置され、主桁１のウェブ２０１に対して接着剤１９で固めるようにして貼り付けられている。そして、検知線１１には、下フランジ３０２の下面に固定された検出装置本体１２が接続されている。検出装置本体１２内には、電源の他、検知線１１の断線を検出して情報を伝達するための構成が設けられている。本実施形態では、橋梁１に対する各項目の目視点検に際し、この疲労亀裂検出装置１０を介して断線情報を収集できるように構成されている。なお、疲労亀裂検出装置１０に電気的ノイズが影響を与える場合が考えられるが、この影響には内部プログラムの工夫によって対応している。
【００１６】
次に、図３は、疲労亀裂検出システムの一部を示したブロック図である。本実施形態の疲労亀裂検出装置１０は、後述するように非接触型のＩＣタグを使用したものであり、そのＩＣタグとの送受信によって断線情報を収集できるように構成されている。
疲労亀裂検出装置１０は、橋梁１などの被検査対象物Ｗに対し、亀裂Ｒの発生が予測される亀裂想定箇所に検知線１１が固定される。図示するように、検知線１１の往路と復路が平行になるようにして配線される。なお、図２に示す橋梁１の場合には、こうした検知線１１が検出装置本体１２から左右の２方向に別れ、コの字になるようにして配線されている。そして、検知線１１は、接着剤によって被検査対象物Ｗに固めるようにして取り付けられるため、図３に示すようにその被検査対象物Ｗに亀裂Ｒが入ると、それが接着部分にも達して検知線１１が断線してしまうこととなる。
【００１７】
検出装置本体１２には、検知線１１の状態情報を記憶し、情報収集装置３０との間で情報の送受信を行うＩＣタグ１３が設けられている。そのＩＣタグ１３は、情報の記憶や送受信などを制御するＣＰＵからなる制御部２１、断線情報を記憶するメモリ２２、検知線１１の断線による通電遮断状態を保持する自己保持回路２３、そして無線送信するための送受信回路やアンテナからなる送受信部２４を備え、それらが集積されたＩＣチップによって形成されている。疲労亀裂検出装置１０は、この制御部２１を介して電源１５から検知線１１に対して電流が流され、その通電の遮断によって亀裂Ｒの発生と共に生じる検知線１１の断線を検出するよう構成されている。
【００１８】
疲労亀裂の初期段階では亀裂Ｒが極めて小さいため、橋梁１に車両による荷重のかかっていない状態では亀裂Ｒが閉じてしまい、検知線１１の断線部分が接触して通電状態が復活してしまう。従って、荷重を受ければ亀裂部分が広がって通電遮断状態になるが、瞬間的にまた通電状態に戻るため、亀裂発生の確認が困難になる。従って、本実施形態では、一旦検知線１１が断線したならば、その通電遮断状態を保持する自己保持回路２３が設けられている。ただし、自己保持回路２３がなくても初期段階の疲労亀裂が検出できるのであれば、自己保持回路２３は必須の構成要件ではない。例えば、永久亀裂の発生の有無だけを検出すればよい場合などである。
【００１９】
また、検知線１１は、ごみ等の衝突やその他の不具合で断線する場合があり得る。そのため、自己保持回路２３を設けると、通電遮断状態が疲労亀裂によるものなのか、或いは不具合による断線なのかが判別できない。そこで、本実施形態では、断線検出プログラムを有し、断線が初期段階の疲労亀裂か、それ以外の不具合による単なる断線なのかを判別するようにした。単なる断線であれば、疲労亀裂が発生した場合と比べて急を要するものではないからである。判別は、自己保持回路２３を一定時間間隔で切り換え、その通電状態をメモリ２２に記憶することで、検出履歴を点検作業者が確認できるようにしている。情報収集装置３０を使用した断線情報の収集については後述する。
【００２０】
ところで装置本体１２には、更に制御部２１からの断線信号に従って断線情報を出力する表示部１６が設けられているため、無線の不確実性を補完し、目視で断線情報を確認できる。この表示部１６は、緑色と赤色の２色のＬＥＤが設けられ、状況に応じて各ＬＥＤの点灯と消灯が制御部２１によって切り替えられるように構成されている。すなわち、通常時には緑色ＬＥＤが電源１５に接続されて点灯し、検知線１１が断線した状態では赤色ＬＥＤが電源１５に接続されて点灯するようになっている。一方、故障などによって電源１５からの通電が遮断された場合には両方のＬＥＤが消灯するようになっている。
【００２１】
疲労亀裂検出装置１０は、図２に示すように、検知線１１は下フランジ７に沿って接着固定され、検出装置本体１２が下フランジ７の下面に取り付けられる。このとき、疲労亀裂検出装置１０は、表示部１６のＬＥＤによって亀裂が確認できるように構成されたものであるため、管理者が橋梁１の下から見てＬＥＤの点滅が確認できるように検出装置本体１２が取り付けられている。また、表示部１６を検出装置本体１２から分離した構成とし、表示部１６だけを点検作業者にとって見やすい位置に設置するようにしてもよい。
【００２２】
疲労亀裂検出装置１０は、検知線１１に電流を流し、表示部１６のＬＥＤを点灯させる電源１５を備えている。この疲労亀裂検出装置１０は、消費電力が少なく長期の使用が可能であるため、電源１５としては乾電池やソーラーバッテリ、或いは小型風車などの使用が可能である。更に、乾電池やソーラーバッテリなどの他にも、圧電素子に衝撃を加えて起電力を得る発電装置を電源１５として利用することも有効である。図４は、圧電素子を利用した発電装置を設置した橋梁の一部を示した斜視図である。
橋梁１は、前述したように、幅方向に複数並べられた主桁２が長手方向に配置され、隣り合う主桁２同士が不図示の横桁によって連結されている。そして、こうした桁上にはコンクリート版などのスラブ５が設けられている。
【００２３】
主桁２は、橋脚６に対し、橋全体の重さが局部的にかからないように、荷重を分散させる目的で沓７が設けられている。橋脚６上に配置された複数の沓７には、薄板状の圧電素子部材が挟み込まれるようにして設置され、その圧電素子部材に対し充電器１７を介して断線信号検出装置１３などが接続される。従って、橋梁１の上を自動車が通過することによって振動が生じ、その振動が圧電素子部材に伝わり、圧電効果によって発生した電力が充電器１７に蓄積される。そして、この充電器１７に蓄積された電力が、前述した疲労亀裂検出に利用される。一般に、圧電素子による発電は非常に効率が悪いが、橋梁のような規模の大きな構造物で非常に大きな衝撃が作用する条件下では、常用電源となる発電装置として適当である。
【００２４】
また、圧電素子を利用した発電装置は、沓７に構成する他、伸縮装置８やスラブ５に設けるようなものであってもよい。図示するような橋桁は、その前後の橋桁同士が温度によって伸び縮みするため遊間を設け、乗り心地や床版の保護のため伸縮装置８が設けられている。従って、この伸縮装置８に薄板状の圧電素子部材を設置し、車両の通過による衝撃によって発生する電力を充電器１７に蓄積させるようにしてもよい。また、スラブ５には、そのコンクリート舗装に際して薄板状の圧電素子版９を内蔵するようにし、やはり車両の通過による衝撃によって発生する電力を充電器１７に蓄積させるようにしてもよい。このように疲労亀裂検出システムに電源として圧電素子を利用した発電装置を設けることにより、電池交換の必要なく、永久的に稼働させることが可能になる。
【００２５】
次に、本実施形態の疲労亀裂検出システムでは、複数の疲労亀裂検出装置１０ａ〜１０ｄについて断線情報の収集を行うための情報収集装置３０が使用される。情報収集装置３０は、モバイルＰＣや携帯情報端末（ＰＤＡ）であり、図３に示すように、制御部３１、ＩＣタグ送受信部３２、メモリ３３、表示部３４および操作部３５が備えられている。制御部３１は、ＣＰＵで構成されており、ＩＣタグ送受信部３２などの各部と接続され、疲労亀裂検出装置１０からの情報収集の実行を制御する。
【００２６】
ＩＣタグ送受信部３２は、疲労亀裂検出装置１０の識別番号に対応したＩＣタグ１３の情報を受信し、それぞれの断線情報を取得するようにしたものである。操作部３５は、情報収集装置３０を操作するためのテンキーなどを備え、本実施形態では、疲労亀裂検出装置１０の識別番号を入力することで、特定の疲労亀裂検出装置１０の情報を表示するようにしている。表示部３４は、液晶ディスプレイなどの表示装置であり、情報収集装置３０の動作状態や、点検作業者へ操作入力画面、更にＩＣタグ１３から取得した情報などが表示される。なお、受信可能範囲であれば複数のＩＣタグ１３を一括して受信することも可能であり、その場合にはＩＤ番号によって識別が可能であり、点検確認作業の効率化が図られる。
【００２７】
本実施形態の疲労亀裂検出システムでは、情報収集装置３０によって収集した情報を管理所のパーソナルコンピュータ（管理ＰＣ）で一括管理ができるように構成されている。
情報収集装置３０と管理ＰＣ４０とは、図５に示すように、ＲＳ232 やＵＳＢなどの伝送路４１を介して接続され、情報通信が可能である。管理ＰＣ４０は、ＣＰＵやＲＯＭ及びＲＡＭなどからなる制御部の他、ハードディスクやディスプレイ、或いはキーボードなどからなる通常のＰＣである。そして、特にこの管理ＰＣ４０には、ＲＯＭに情報管理プログラムが格納されており、情報収集装置３０によって収集した情報から管理ファイルを作成し、記憶部へ格納するように構成されている。
【００２８】
続いて、疲労亀裂検出システムを使用した点検作業について説明する。図１に示すように、橋梁に対して設置された複数の疲労亀裂検出装置１０ａ〜１０ｄは、電源１５から制御部２１を介して検知線１１に電流が常時流されている。そして、疲労亀裂検出装置１０ａ〜１０ｄのいずれかの箇所で疲労亀裂Ｒが発生すると、その部分に接着剤によって固着された検知線１１も断線してしまう。疲労亀裂の初期段階では、断線した検知線１１が接触して通電状態を復活させてしまうが、自己保持回路２３が作動して通電遮断状態が維持される。
【００２９】
ここで、図６は、疲労亀裂検出装置１０で実行される断線検出プログラムのフローチャートを示した図である。検知線１１には前述したように常時通電が行われ（Ｓ１０１）、断線が生じたか否かが確認されている（Ｓ１０２）。そして、断線がない場合には（Ｓ１０２：ＮＯ）、表示部１６の緑色ＬＥＤへの通電によって点灯が行われる（Ｓ１０３）。一方、検知線１１に断線が生じた場合には（Ｓ１０２：ＹＥＳ）、電気的ノイズの判別（Ｓ１０４）と、一定時間後に自己保持回路２３を解除して通電状態に戻っているか否かの確認とが行われる（Ｓ１０５）。疲労亀裂ではない電気的ノイズや不具合による単なる断線との違いを確認するためである。
【００３０】
疲労亀裂検出装置１０では、瞬間断線を検知するが、電気的ノイズとの判別が必要である。電気的ノイズは、非常に短い時間に発生することが実験的に分かっている。本実施形態では、断線検知後５ｍｓ後に通電を確認し（Ｓ１０４）、電気的ノイズを判別して除去することとしている。通電があった場合には（Ｓ１０４：ＹＥＳ）、電気的ノイズであって疲労亀裂ではないと判断し、表示部１６の緑色ＬＥＤへの通電によって点灯が行われる（Ｓ１０３）。一方、通電がなかった場合には（Ｓ１０４：ＮＯ）、疲労亀裂あるいは不具合による断線が生じているものとして次のステップに進む。なお、具体的なノイズ発生源としては、強電磁石（磁粉探傷試験用）や高圧電線、パンタグラフ、スパークプラグなどが考えられる。
【００３１】
ところで、疲労亀裂が生じた場合、橋梁１を列車や自動車などの車両が通過すると、荷重がかかって検知線１１の断線部分が開いて判定できない。そこで、列車や自動車の通過時間を考慮した時間間隔Ｔを設定し、自己保持回路２３での通電と遮断とを繰り返す。そこで、自己保持回路２３を一定時間Ｔだけ解除しても通電状態に戻らなかった場合には（Ｓ１０５：ＮＯ）、不具合による単なる断線と判断され、その後の断線処理が行われる（Ｓ１０６）。すなわち、表示部１６の緑色ＬＥＤ側の通電が遮断され、赤色ＬＥＤが通電状態に切り替えられる。そして、ＩＣタグ１３のメモリ２２には、ＩＤ番号と時間Ｔの間の断線情報が記憶される。
【００３２】
一方、自己保持回路２３を解除することによって通電状態に戻った場合には（Ｓ１０５：ＹＥＳ）、疲労亀裂の初期段階であると考えられるため、通電状態の確認が複数回繰り返される。本実施形態では３回行われるため、回数が３回目であるか否かの確認が行われる（Ｓ１０７）。そこで、３回目でない場合には（Ｓ１０７：ＮＯ）、ステップＳ１０１，Ｓ１０２，Ｓ１０５，Ｓ１０７が繰り返される。
【００３３】
断線が疲労亀裂によるものであれば、時間Ｔの間に通電状態が生じるため（Ｓ１０５：ＹＥＳ）、同じ処理が繰り返される。そして、断線後に３回目の通電が確認された場合には（Ｓ１０７：ＹＥＳ）、疲労亀裂であると判断され、その後の断線処理が行われる（Ｓ１０８）。すなわち、表示部１６の緑色ＬＥＤ側の通電が遮断され、赤色ＬＥＤが通電状態に切り替えられる。そして、ＩＣタグ１３のメモリ２２には、ＩＤ番号と断線と通電とを繰り返した断線情報が記憶される。なお、繰り返し回数や測定間隔（時間）に関しては、検出精度を向上すべく適用する構造物の荷重条件により適当に設定することができる。
【００３４】
疲労亀裂検出装置１０では、常時こうした疲労亀裂の確認が行われ、判断が生じた場合には、その状態を判断した情報がＩＣタグ１３に格納されている。そうした疲労亀裂検出装置１０ａ〜１０ｄが設置された橋梁１は、点検作業者によって定期的（例えば１日１回）に目視点検が行われている。作業点検者は、橋梁１のペンキの剥がれや床板や橋台のクラックなどの目視点検を行い、更に疲労亀裂については表示部１６を確認する。例えば、赤色ＬＥＤが点灯していることを確認することで、断線が生じていることが分かる。
【００３５】
その際、点検作業者は、目視点検とともに情報収集装置３０を使用した断線情報の収集を行う。点検作業者は、検査対象物である橋梁１の桁下や橋の上に立ち、通信距離内にある疲労亀裂検出装置１０ａ〜１０ｄのＩＣタグ１３からメモリに記憶された断線情報を順次収集していく。このとき、点検作業者は、情報収集装置３０の操作部３５から識別番号を入力することで対象となる疲労亀裂検出装置１０を特定し、その状態を画面に表示して確認できる。なお、複数のＩＣタグ１３との受信が可能な場合には、断線情報の一括収集が行われる。
【００３６】
すなわち、疲労亀裂検出装置１０から情報収集装置３０へ情報が送られる。疲労亀裂検出装置１０には、そのメモリ２２に、自己（ＩＣタグ１３）を一意に識別するためのＩＤ（識別番号）と、前述したように検知線１１に対する単なる断線か、疲労亀裂による断線であるかを示す断線情報が記憶されている。そのため、情報収集装置３０は、疲労亀裂検出装置１０の検知線１１が断線していた場合には、そのＩＤ番号と断線情報が一緒に送信される。そして、ＩＣタグ１３では、こうした送信処理によってメモリ２２内では当該データがリセットされる。
【００３７】
更に、点検作業者は、次の疲労亀裂検出装置１０におけるＩＣタグ１３と通信可能な位置に移動し、情報収集装置３０の操作部３５からＩＤ番号を入力してＩＣタグ１３の情報を確認していく。点検作業者による情報収集は、全ての疲労亀裂検出装置１０に対して行われ、各ＩＤ番号と検知線１１の断線情報が情報収集装置３０のメモリ３３に記憶される。情報収集時には、疲労亀裂検出装置１０から送信された識別番号と断線情報が情報収集装置３０の表示部３４に表示されるため、点検作業者は、その表示部３４の表示と橋梁に設置された表示部１６のＬＥＤの点灯から状況を把握することができる。
【００３８】
点検作業者は、検査対象となっている他の橋梁についても全て回り、それぞれについて同じように決められた項目の目視点検と、情報収集装置３０を使用した情報収集を行う。そして、管理所に戻った後は、情報収集装置３０が管理ＰＣ４０に接続され、メモリ２２に格納された情報が吸い上げられ、管理ＰＣ４０のメモリに格納される。そして、管理ＰＣ４０では、情報管理プログラムによって収集した情報から管理表が作成され、それが管理ファイルとして格納される。将来的に、ＩＣタグ１３が発信する電波や疲労亀裂検出装置１０の性能が向上すれば、点検作業員は車や列車に乗車したままＩＣタグ１３の状態を受信することができる。
【００３９】
情報管理プログラムで作成する管理表には、橋梁名、当該橋梁内における疲労亀裂検出装置１０の設置位置、その位置における検知線１１の断線情報が表示される。断線情報は、検知線１１が断線していなければ何のコメントも表示されないが、断線が生じている場合には、図６のステップＳ１０５で行った通電操作から得られた断線記録が表示され、単なる断線と疲労亀裂による断線との違いが分かるようになっている。点検結果情報としては、橋梁名、測定ポイント（ＩＤ）、断線情報の他に、測定時間、気温、測定者などの情報も同時に管理することが可能である。そして、点検結果の記録及び整理の効率化とともに、点検履歴から、アセットマネージメントにつながる効率的な維持管理計画の策定も可能になる。
【００４０】
こうして、本実施形態の疲労亀裂検出装置および疲労亀裂検出システムでは、情報収集装置３０を使用し、手間をかけることなく疲労亀裂に関する断線情報を収集することができるため、この情報収集作業を従来から行われている目視点検作業の一部に組み込むことができる。そして、複数の亀裂想定箇所に設置する疲労亀裂検出装置１０および疲労亀裂検出システムは、数百メートルにも渡って検知線１１０を接着固定する従来のものに比べ、コストを大幅に抑えることができるようになった。特に、疲労亀裂検出装置１０をＩＣタグ１３で構成することによってシステム全体を安価にしている。
【００４１】
また、情報収集装置３０によって収集した断線情報を管理ＰＣ４０に移し、そこで作成した管理表を管理ファイルとして保存するようにしたので、情報管理を容易かつ確実に行うことができるようになり、そうした情報から目視だけではない疲労亀裂に対する客観的な判断ができるようになった。従って、例えば、経験の浅い点検員でも一定の精度で判定でき、また疲労亀裂の早期発見にもつながり、点検に対する品質の向上を図ることができた。その他、疲労亀裂に対する点検時間が短縮され、その点でもコストを低減できる。
【００４２】
以上、本発明に係る疲労亀裂検出装置および疲労亀裂検出システムの一実施形態について説明したが、本発明はこれに限定されることなく、その趣旨を逸脱しない範囲で様々な変更が可能である。
また、ＩＣタグ１３は、一定時間間隔で単方向発信するが、発信間隔を広げれば消費電力の節約ができる。そのため、疲労亀裂検出装置１０の電源１５に乾電池を使用するようにしてもよい。
また、前記実施形態では、橋梁に生じる疲労亀裂の点検を例に挙げて説明したが、鉄塔やジェットコースターなどの構造物であってもよい。
【００４３】
複数の送信型ＩＣタグ（アクティブ型）による無線通信ネットワークを構築し、管理所からの一括監視が可能なシステム構築も可能になる。
また、本システムでは、ＩＣタグは単方向型以外にも、情報収集装置がアクセスしたときだけ返信する双方向型のものであっても、適用する設備や環境条件に合わせて採用が可能である。
更に、亀裂の有無を確認するための表示は、ＬＥＤの他に、温度により変色する不可逆性のサーモペイントや、目印となるバーがＩＣタグケースから突起するなど機械的な方法であってもよい。
【図面の簡単な説明】
【００４４】
【図１】本実施形態の疲労亀裂検出システムについて概念的に示した図である。
【図２】疲労亀裂検出装置の具体的な設置状態を示した図である。
【図３】疲労亀裂検出システムの一部を示したブロック図である。
【図４】圧電素子を利用した発電装置を設置した橋梁の一部を示した斜視図である。
【図５】情報収集装置と管理ＰＣとを示した図である。
【図６】疲労亀裂検出装置で実行される断線検出プログラムのフローチャートを示した図である。
【図７】従来の疲労亀裂検出システムが適用された橋の全体図である。
【符号の説明】
【００４５】
１    橋梁
１０  疲労亀裂検出装置
１１  検知線
１３  ＩＣタグ
１５  電源
１６  表示部
２１  制御部
２２  メモリ
２３  自己保持回路
２４  送受信部
３０  情報収集装置
４０  管理ＰＣ
【図１】
0004620101.tif 000002
【図２】
0004620101.tif 000003
【図３】
0004620101.tif 000004
【図４】
0004620101.tif 000005
【図５】
0004620101.tif 000006
【図６】
0004620101.tif 000007
【図７】
0004620101.tif 000008